(57)【要約】【課題】作業効率が落ちることなく、しかもねじれに対する強度及び全体の強度を高めた一体型空気調和機を提供することを目的としている。【解決手段】内外仕切板５と導風板７の上端両側を連結桟１４によりそれぞれ連結、支持するので、輸送時の強い衝撃に対する強度が増し、ねじれ、歪みを防止することができ、また、連結桟１４を止めるネジ１０は上方から螺合するので、外箱８に押さえられ、緩むことがなくなる。さらに、連結桟１４を導風部１１や室内熱交換器１２に連結することにより、連結桟がより強固に連結され、より強い衝撃に対して、ねじれや歪みを防止することができる。【選択図】  図１
2004219013.tif 000002
【特許請求の範囲】
【請求項１】
少なくとも前面を開口した外胴内に、仕切板により区画された底板上の室内側に配置された室内熱交換器と、これに対向する室内ファンと、前記室内ファンにより吸込口から吹出口に室内空気を流通するファンケーシングと、室外側に配置された室外熱交換器と、これに対向する室外ファンと、圧縮機と、前記室内ファンと前記室外ファンとを駆動する電動機と、前記室外熱交換器および前記室外ファンを囲む円筒状のベルマウスを備えた導風板とで構成された本体が出し入れ可能に収容され、前記外胴の室内側前面に前記室内熱交換器を臨ませた前記吸込口を一側に備え、他側に前記吹出口を備えた前面パネルが設けられてなる一体型空気調和機において、
前記仕切板と導風板との上端両側を連結桟によりそれぞれ連結してなることを特徴とする一体型空気調和機。
【請求項２】
前記連結桟を前記室内熱交換器の側板の上端にも連結してなることを特徴とする請求項１記載の一体型空気調和機。
【請求項３】
前記仕切板と導風板の上端両側にそれぞれ凹部を設け、同凹部に前記連結桟をそれぞれ取付けてなることを特徴とする請求項１記載の一体型空気調和機。
【請求項４】
前記ファンケーシングの上端に凹部を設けると共に、前記室内熱交換器の側板を同凹部に対応して低くし、前記連結桟を同凹部及び室内熱交換器の側板の上端にそれぞれ取付けてなることを特徴とする請求項１、２及び３記載の一体型空気調和機。
【発明の詳細な説明】
【０００１】
【発明の属する技術分野】
本発明は、一体型空気調和機に係わり、とくに、全体強度を補うための支持具の取り付けに関する。
【０００２】
【従来の技術】
従来の一体型空気調和機は、図４、図５に示すように、外箱８の前面に室内空気の吸込口８ａ及び吹出口８ｂを設けると共に、後部両側面に外気吸込口８ｃ、後面に後部吹出口８ｂを設けている。
さらに、この外箱８の内部に摺動可能に収容された底板２の上部に、同底板２の一側寄りに固定され、内外を仕切る仕切板５と、前記仕切板５に対向して配設され、図示しない室内ファンにより前記吸込口８ａから吹出口８ｂに向けて室内空気を流通するファンケーシング１１と、前記ファンケーシング１１に対向し、前記吸込口８ａに臨ませて配設される室内熱交換器１２とでなる室内ユニット形成部３と、前記底板２の略中央に前記仕切板５と対向して立設され、前記図示しない室内ファンと図示しない室外ファンを駆動する図示しない電動機を固定する電動機取付板１３と、前記電動機取付板１３に対向して設けられ、前記図示しない室外ファンにより前記外箱８に設けた外気吸込口８ｃから後部吹出口８ｄに外気を流通する導風板７と、前記導風板７と対向し、前記後部吹出口８ｄに臨ませて配置される室外熱交換器６とでなる室外ユニット形成部４とで空気調和機本体１を形成し、前記外箱８に前記空気調和機本体１をスライド挿入し、同外箱８を前記底板２と電動機取付板１３とにネジ止めしている。
そして、前記仕切板５及び導風板７は、その上部中央部に連結桟１４を連結して支持するようにしている。
また、前記連結桟１４は、図５に示すように、平板の４辺を折曲して取付代１４ａを設けて断面略コ字状に形成し、前記取付代１４ａにネジ孔Ａを設けると共に、前記仕切板５及び導風板７に前記ネジ孔Ａに対応する挿通孔Ｂをそれぞれ設け、同挿通孔Ｂから前記ネジ孔ＡにネジＣをそれぞれ螺着するようにしている。しかし、前記連結桟１４は、中央部に連結されるだけなので、ねじれに対する強度が不足し、また、ネジが水平方向に螺着されるため、輸送中に強い衝撃を受けると、ねじれや歪みが発生したり、ネジが緩んで外れたりする危険性があった。
そこで、室外熱交換器６の両側上面に２箇所及び仕切板５の両側上面に２箇所で、外箱８とねじによりねじ止めし、連結桟を廃止したものがある（例えば、特許文献１参照。）。
そこで、前記導風板７も同様に、その両側上面の２箇所で、外箱８とねじにてねじ止めすることが考えられる。
しかし、この構成では、前記室外熱交換器６、仕切板５及び導風板７の両側上面のネジ孔と、前記外箱８の挿通孔の位置がずれてしまうと、ネジ止めが難しくなるため、作業効率が落ちてしまうという問題がある。
【０００３】
【特許文献１】
特開昭５８−８５０３７号公報（第１−２頁、第２図）
【０００４】
【発明が解決しようとする課題】
本発明は以上述べた問題点を解決し、作業効率が落ちることなく、しかもねじれに対する強度及び全体の強度を高めた一体型空気調和機を提供することを目的としている。
【０００５】
【課題を解決するための手段】
本発明は上述の課題を解決するため、少なくとも前面を開口した外胴内に、仕切板により区画された底板上の室内側に配置された室内熱交換器と、これに対向する室内ファンと、前記室内ファンにより吸込口から吹出口に室内空気を流通するファンケーシングと、室外側に配置された室外熱交換器と、これに対向する室外ファンと、圧縮機と、前記室内ファンと前記室外ファンとを駆動する電動機と、前記室外熱交換器および前記室外ファンを囲む円筒状のベルマウスを備えた導風板とで構成された本体が出し入れ可能に収容され、前記外胴の室内側前面に前記室内熱交換器を臨ませた前記吸込口を一側に備え、他側に前記吹出口を備えた前面パネルが設けられてなる一体型空気調和機において、
前記仕切板と導風板との上端両側を連結桟によりそれぞれ連結してなる一体型空気調和機としている。
【０００６】
前記連結桟を前記室内熱交換器の側板の上端にも連結してなる一体型空気調和機としている。
【０００７】
前記仕切板と導風板の上端両側にそれぞれ凹部を設け、同凹部に前記連結桟をそれぞれ取付けてけてなる一体型空気調和機としている。
【０００８】
前記ファンケーシングの上端に凹部を設けると共に、前記室内熱交換器の側板を同凹部に対応して低くし、前記連結桟を同凹部及び室内熱交換器の側板の上端にそれぞれ取付けてなる一体型空気調和機としている。
【０００９】
【発明の実施の形態】
以下、図面に基づいて本発明による一体型空気調和機を詳細に説明する。
図１は本発明による一体型空気調和機の一実施例を示す要部分解斜視図、図２は同要部拡大分解斜視図、図３は同要部断面図である。
図１、図２及び図３に示すように、本発明の一体型空気調和機は前面を開口する外胴と前面パネルとで外箱８を形成し、前記外箱８の前面に室内空気の吸込口８ａ及び吹出口８ｂを設けると共に、後部両側面に外気吸込口８ｃ、後面に後部吹出口８ｂを設けている。
さらに、この外箱８の内部には摺動可能に収容された底板２の上部に、同底板２の一側寄りに固定され、内外を仕切る仕切板５と、前記仕切板５に対向して配設され、図示しない室内ファンにより前記吸込口８ａから吹出口８ｂに向けて室内空気を流通するファンケーシング１１と、前記ファンケーシング１１に対向し、前記吸込口８ａに臨ませて配設される室内熱交換器１２とでなる室内ユニット形成部３と、前記底板２の略中央に前記仕切板５と対向して立設され、前記図示しない室内ファンと図示しない室外ファンを駆動する図示しない電動機を固定する電動機取付板１３と、前記電動機取付板１３に対向して設けられ、前記図示しない室外ファンにより前記外気吸込口８ｃから後部吹出口８ｄに外気を流通する導風板７と、前記導風板７と対向し、前記後部吹出口８ｄに臨ませて配置される室外熱交換器６とでなる室外ユニット形成部４とで空気調和機本体１を形成し、前記外箱８に前記空気調和機本体１をスライド挿入し、同外箱８を前記底板２と電動機取付板１３とにネジ止めしている。
前記仕切板５及び導風板７の両側上端を折曲して凹部５ａ、凹部７ａをそれぞれ設け、同凹部に連結桟１４を連結するようにしている。
即ち、前記凹部の折曲部５ｂ、折曲部７ｂにネジ孔５ｃ、ネジ孔７ｃをそれぞれ形成すると共に、前記連結桟１４に前記ネジ孔５ｃ及びネジ孔７ｃに対応する挿通孔１４ａ、挿通孔１４ｂを設けている。
そして、前記挿通孔１４ａ及び挿通孔１４ｂから前記ネジ孔５ｃ及びネジ孔７ｃにネジ１０を上方から螺着する。
これにより、連結桟１４を前記仕切板５及び導風板７の両側上端に連結して支持するので、輸送時の強い衝撃に対する強度が増し、ねじれ、歪みを防止することができる。
【００１０】
また、前記ファンケーシング１１の両側上端に前記連結桟１４を連結する凹部１１ａを設け、同凹部１１ａにネジ孔１１ｂを設けると共に、前記連結桟１４に同ネジ孔１１ｂに対応する挿通孔１４ｃを設け、同挿通孔１４ｃからネジ孔１１ｂにネジ１０を螺着することにより、前記仕切板５及び導風板７の両側上端に連結した前記連結桟１４をこのファンケーシング１１の両側上端に連結するようにしてもよい。
なお、前記ファンケーシング１１が発泡断熱材で形成されている場合は凹部１１ａのみ設け、前記連結桟１４を収容するのみとすることもできる。
【００１１】
また、前記室内熱交換器１２の側板１２ａの上端を折曲し、同折曲部１２ｂにネジ孔１２ｃを設けると共に、前記連結桟１４に同ネジ孔１２ｃに対応する挿通孔１４ｄを設け、同挿通孔１４ｄから同ネジ孔１２ｃにネジ１０を螺着することにより、前記仕切板５及び導風板７の両側上端に連結した前記連結桟１４の一方の連結桟１４をこの室内熱交換器１２の側板１２ａの上端に連結するようにしてもよい。
これにより、前記連結桟１４がより強固に連結され、より強い衝撃に対して、ねじれや歪みを防止することができる。
【００１２】
【発明の効果】
以上説明したように、本発明による一体型空気調和機によれば、仕切板と導風板の上端両側を連結桟によりそれぞれ連結、支持するので、輸送時の強い衝撃に対する強度が増し、ねじれ、歪みを防止することができ、また、連結桟を止めるネジは上方から螺着するので、外箱に押さえられ、緩むことがなくなる。
さらに、連結桟をファンケーシングや室外熱交換器に連結することにより、連結桟がより強固に連結され、より強い衝撃に対して、ねじれや歪みを防止することができる。
【図面の簡単な説明】
【図１】本発明による一体型空気調和機の一実施例を示す要部分解斜視図である。
【図２】本発明による一体型空気調和機の一実施例を示す要部拡大分解斜視図である。
【図３】本発明による一体型空気調和機の一実施例を示す要部断面図である。
【図４】従来の一体型空気調和機を示す要部分解斜視図である。
【図５】従来の一体型空気調和機のを示す要部拡大分解斜視図である。
【符号の説明】
１  空気調和機本体
２  底板
３  室内ユニット形成部
４  室外ユニット形成部
５  仕切板
５ａ  凹部
５ｂ  折曲部
５ｃ  ネジ孔
６  室外熱交換器
７  導風板
７ａ  凹部
７ｂ  折曲部
７ｃ  ネジ孔
８  外箱
８ａ  吸込口
８ｂ  吹出口
８ｃ  外気吸込口
８ｄ  後部吹出口
１０  ネジ
１１  ファンケーシング
１１ａ  凹部
１１ｂ  ネジ孔
１２  室内熱交換器
１２ａ  側板
１２ｂ  折曲部
１２ｃ  ネジ孔
１３  電動機取付板
１４  連結桟
１４ａ、１４ｂ、１４ｃ、１４ｄ  挿通孔
【図１】
2004219013.tif 000003
【図２】
2004219013.tif 000004
【図３】
2004219013.tif 000005
【図４】
2004219013.tif 000006
【図５】
2004219013.tif 000007